(57)【要約】【課題】記録装置やテレビ受信装置に付属するリモートコントローラとの間の操作性の相違を低減するチャンネル制御方法及び制御装置を提供する。【解決手段】実施形態において、制御装置は、第１の出力部と、第２の出力部と、制御部と、を具備する。第１の出力部は、受信チャンネルに割り当てられている一連番号に対応する制御コマンドを出力する。第２の出力部は、受信チャンネルを特定する単一の制御コマンドを出力する。制御部は、第１の出力部及び第２の出力部の出力を、無線または有線のネットワークを経由して供給する。【選択図】図１
2012213120.tif 000002
【特許請求の範囲】
【請求項１】
選択指示のための第１の方式の制御コマンドと、第１の方式と異なる第２の方式の制御コマンドとを出力可能で、
選択指示する対象のチャンネルが第１の方式で指示可能である場合、第１の方式の制御コマンドを出力し、
選択指示する対象のチャンネルに対応する第１の方式の制御コマンドの割り当てがない場合、第２の方式の制御コマンドを出力する
チャンネル選択方法。
【請求項２】
第１及び第２の方式の制御コマンドは、ネットワークを経由して制御対象に供給される請求項１記載のチャンネル選択方法。
【請求項３】
第１の方式の制御コマンドは、対応するチャンネルを単一の制御コマンドで選択可能である請求項２記載のチャンネル選択方法。
【請求項４】
第２の方式の制御コマンドは、対応するチャンネルを特定する一連番号に対応する制御制御コマンドを出力する請求項２記載のチャンネル選択方法。
【請求項５】
受信チャンネルを特定する一連番号に対応する第１の制御コマンドと、受信チャンネルに対応する特定の情報を出力して受信チャンネルを特定する第２の制御コマンドとを出力可能で、受信チャンネルの選択が指示された際に、その受信チャンネルが第２の制御コマンドに対応する場合、第２の制御コマンドを出力するチャンネル制御方法。
【請求項６】
第１及び第２の制御コマンドは、家庭内において無線または有線のネットワークを経由して供給される請求項４記載のチャンネル制御方法。
【請求項７】
第２の制御コマンドは、受信チャンネルを単一の制御コマンドで特定する請求項６記載のチャンネル制御方法。
【請求項８】
第１の制御コマンドは、受信チャンネルに割り当てられている一連番号に対応する制御コマンドを出力する請求項６記載のチャンネル制御方法。
【請求項９】
受信チャンネルに割り当てられている一連番号に対応する制御コマンドを出力する第１の出力部と、
受信チャンネルを特定する単一の制御コマンドを出力する第２の出力部と、
前記第１の出力部及び第２の出力部の出力を、無線または有線のネットワークを経由して供給する出力制御部と、
を具備する制御装置。
【発明の詳細な説明】
【技術分野】
【０００１】
本発明の実施の形態は、テレビ受信装置や記録装置のチャンネル制御方法及び制御装置に関する。
【背景技術】
【０００２】
家庭内ＬＡＮ（Local Area Network，ホームネットワーク）の普及により、記録装置やテレビ受信装置に付属するリモートコントローラ（リモコン端末）を用いるチャンネル制御に加え、携帯端末装置からのチャンネル制御が可能である。
【先行技術文献】
【特許文献】
【０００３】
【特許文献１】特開２００６−３１１０２７号公報
【発明の概要】
【発明が解決しようとする課題】
【０００４】
携帯端末装置は、記録装置やテレビ受信装置に付属するリモートコントローラに設けられるプリセットキー（専用チャンネルボタン）を持たない場合が多いため、特別な操作を必要とする場合がある。
【０００５】
本発明の目的は、携帯端末装置による記録装置やテレビ受信装置のチャンネル制御（受信チャンネルの選択）において、記録装置やテレビ受信装置に付属するリモートコントローラとの間の操作性の相違を低減するチャンネル制御方法及び制御装置を提供することである。
【課題を解決するための手段】
【０００６】
実施形態によれば、制御装置は、第１の出力部と、第２の出力部と、制御部と、を具備する。第１の出力部は、受信チャンネルに割り当てられている一連番号に対応する制御コマンドを出力する。第２の出力部は、受信チャンネルを特定する単一の制御コマンドを出力する。制御部は、第１の出力部及び第２の出力部の出力を、無線または有線のネットワークを経由して供給する。
【図面の簡単な説明】
【０００７】
【図１】実施形態を適用する家庭内ネットワークの一例を示す概略図。
【図２】実施形態を適用する携帯端末装置の一例を示す概略図。
【図３Ａ】実施形態を適用する携帯端末装置の表示の一例を示す概略図。
【図３Ｂ】実施形態を適用する携帯端末装置の表示の一例を示す概略図。
【図４】実施形態を適用する録画再生装置の番組表の一例を示す概略図。
【図５】実施形態を適用する映像表示装置の番組表の一例を示す概略図。
【図６】実施形態を適用する録画再生装置の番組表の一例を示す概略図。
【図７】実施形態を適用する映像表示装置の番組表の一例を示す概略図。
【図８】実施形態を適用するチャンネル制御信号の一例を示す概略図。
【図９】実施形態を適用する動作をソフトウエア的に示す概略図。
【発明を実施するための形態】
【０００８】
以下、実施の形態について図面を参照して説明する。
【０００９】
図１は、実施形態を適用するチャンネル制御方法及び制御装置の一例を示す。なお、以下に説明する各要素及びまたは構成もしくは「モジュール」と呼称する要素はハードウエアで実現するものであってもよいし、マイクロコンピュータ（処理装置やＣＰＵ）等を用いてソフトウエアで実現するものであってもよい。
【００１０】
記録装置（録画再生装置）１００は、家庭内ネットワーク（ホームネットワーク，ＬＡＮ（Local Area Network））を構成するルータ（ホームサーバ）１と、有線または無線により接続する。ルータ（ホームサーバ／経路切り替え器）１は、同様に、無線あるいは有線により通信が可能な携帯情報端末（入力装置／チャンネル制御装置）２００を通じて記録装置１００に、受信すべきあるいは録画すべきチャンネルを入力できる。なお、携帯情報端末２００は、例えばパーソナルコンピュータ（Personal Computer）やタブレットＰＣ、あるいはスマートフォンと称される多機能携帯端末装置、もしくはネットワーク（インターネット）およびホームネットワーク（プライベートワーク）に接続可能なテレビ受信装置等を含む。
【００１１】
ルータ（ホームサーバ）１は、無線接続の場合、例えばＷｉＦｉ（ＩＥＥＥ８０２．１１ａ／同８０２．１１ｂを利用する無線機器間の相互接続性についてＷｉＦｉ（登録商標）アライアンス（Alliance）における認定を得た機器相互における無線接続が可能であり、上述のルータ（あるいはホームサーバ）１が無線通信機能を有し、ＷｉＦｉアライアンスにおける認定を受けている場合、ルータ（ホームサーバ）１との間の無線通信が可能な携帯情報端末２００を通じて、記録装置１００に、例えば録画予約の登録あるいは変更の設定が可能である。
【００１２】
携帯情報端末２００は、図２により詳細に説明するが、ルータ（ホームサーバ）１との間の通信を行うＷｉＦｉ通信制御部２１０、タッチパネル２３０を一体に有する表示部２２０、ＷｉＦｉ通信制御部２１０及び表示部２２０、ならびに少なくとも通信系の各部の動作を制御する制御部２５０を含む。制御部２５０は、外部（ホームネットワーク外）の基地局４００との間の通信、基地局４００を中継した他の端末装置との間の通信、及び基地局４００を経由したネットワークへのアクセスによるサーバ（例えば、番組表供給元）５００、等との間の任意の通信及びデータの収受が可能である。
【００１３】
記録装置１００は、利用者が設定した録画予約に基いて放送番組を受信し、圧縮符号化してＨＤＤ（Hard Disk Drive）やＤＶＤ（Digital Versatile Disk）等の記録媒体に記録するものであり、ＡＶ入力部１０１、ＴＶチューナ１０２、エンコーダ部１０３、ディスクドライブ部１０４、ＭＰＵ１０５、デコーダ部１０６、ＡＶ出力部１０７、表示部１０８、タイマーマイコン部１０９、ユーザ操作入力部１１０、メモリ１１１および通信制御部１１２を有している。
【００１４】
ＡＶ入力部１０１は、例えばビデオカメラや他の録画再生装置などから映像データを入力するものであり、一方、ＴＶチューナ１０２は、複数のチャンネルの中から所望のチャンネルを選択して放送番組を受信するものである。そして、エンコーダ部１０３は、このＡＶ入力部１０１により入力された映像データやＴＶチューナ１０２により受信された放送番組データを例えばＭＰＥＧ−２フォーマットで圧縮符号化するものである。なお、ここでは、この入力部１０１により入力された映像データとＴＶチューナ１０２により受信された放送番組データとの双方を便宜上放送番組データと呼ぶことにする。
【００１５】
エンコーダ部１０３で圧縮符号化された放送番組データは、ディスクドライブ部１０４でＤＶＤ−ＲＡＭやＤＶＤ−Ｒ、あるいはＨＤＤディスクなどの記録媒体であるディスクＡに格納される。ディスクドライブ部１０４は、一時記憶部１０４１とディスクドライブ１０４２とを備えており、一時記憶部１０４１をバッファとして利用しながら、ディスクドライブ１０４２が、取り外し自在に装着されるディスクＡに対するアクセスを実行する。
【００１６】
ＭＰＵ１０５は、記録装置１００全体の制御を司り、前述した放送番組の受信、圧縮符号化および記憶媒体への格納、つまり録画処理のほか、後述する再生処理や通信処理等、すべての処理を統合的に制御する。
【００１７】
デコーダ部１０６は、ディスクドライブ部１０４によって読み出されたディスクＡ上の放送番組データを復号するものであり、デコーダ部１０６により復号された放送番組データは、ＡＶ出力部１０７から例えば他の録画再生装置に出力されたり、ＭＰＵ１０５を介して表示部１０８に渡され、外部接続されるＴＶモニタなどに表示される。
【００１８】
タイマーマイコン部１０９は、独自の電源ユニットをもつ時計モジュールであるとともに、ユーザ操作入力部１１０から入力されるユーザの操作から命令コードを生成してＭＰＵ１０５に供給するコントローラとして動作する。また、このタイマーマイコン部１０９は、利用者が設定した録画予約に関する情報（録画予約情報）を格納するレジスタを有している。
【００１９】
ユーザ操作入力部１１０は、例えば記録装置１００の筐体側面に設けられるスイッチ群などであり、いずれかのスイッチが操作されたときに、その旨をタイマーマイコン部１０９に通知する。
【００２０】
メモリ１１１は、記録装置１００の主記憶となるメモリデバイスであり、ＭＰＵ１０５によって実行されるプログラムやこのプログラムで用いられるデータを格納する。
【００２１】
通信制御部１１２は、例えばプライベートネットワークＢ経由で、携帯情報端末２００との間の上述のＷｉＦｉ通信が可能である。また、通信制御部１１２は、通信回線を経由して外部ネットワーク（インターネット）に接続可能で、例えばオンデマンド方式の番組の取得、あるいはネットワーク経由の番組（放送）を受信するためのデータの受け渡しを制御する。
【００２２】
図２は、図１に示したネットワークの内外で利用可能な携帯端末装置の一例を示す。
【００２３】
携帯情報端末２００において、接続中の基地局から送信された無線信号は、アンテナ２０１で受信されたのちアンテナ共用器（ＤＵＰ）２０２を介して受信回路（ＲＸ）２０３に入力される。
【００２４】
受信回路２０３では、受信された無線信号と周波数シンセサイザ（ＳＹＮ）２０４から出力された局部発振信号とがミキシングされ、中間周波信号に周波数変換（ダウンコンバート）される。なお、受信回路２０３からは、中間周波信号を直交復調した受信ベースバンド信号が出力される。また、上記周波数シンセサイザ２０４から発生される局部発振信号の周波数は、以下に説明する制御部２５０からの制御信号ＳＹＣによって指示される。
【００２５】
受信ベースバンド信号は、ＣＤＭＡ信号処理部２０６に入力される。ＣＤＭＡ信号処理部２０６は、ＲＡＫＥ受信機を備える。ＲＡＫＥ受信機では、受信ベースバンド信号に含まれる複数のパスが、それぞれ拡散符号により、逆拡散処理される。逆拡散処理された各パスの信号は、位相を合わされたのち合成される。この結果、所定の伝送フォーマットの受信パケットデータが得られる。
【００２６】
受信パケットデータは、圧縮伸長処理部（以後コンパンダと称する）２０７に入力される。コンパンダ２０７は、図示しない多重分離部を含み、ＣＤＭＡ信号処理部２０６から出力された受信パケットデータが、多重分離部によりメディア（情報の種類）ごとに分離される。また、コンパンダ２０７により、分離されたメディアデータごとに復号される。例えば、受信パケットデータにオーディオデータが含まれている場合、オーディオデータは、スピーチコーデックにより復号される。受信パケットデータにビデオデータが含まれていれば、ビデオデータは、ビデオコーデックにより復号される。
【００２７】
コンパンダ２０７を介して復号されたデジタルオーディオ信号は、ＰＣＭ符号処理部（以後ＰＣＭコーデックと称する）２０８へ、デジタルビデオ信号は、制御部２５０へそれぞれ入力される。なお、受信パケットデータにメール等のテキストデータが含まれている場合には、テキストデータは、制御部２５０を通じて記憶部２１３に保存される。
【００２８】
コンパンダ２０７から出力されたデジタルオーディオ信号は、ＰＣＭコーデック２０８で、ＰＣＭ復号され、アナログオーディオ信号として受話増幅器２０９に出力される。受話増幅器２０９に入力されたオーディオ信号は、所定レベルまで増幅されたのちスピーカ２１２に出力される。従って、スピーカ２１２からは、音声あるいは再生された音楽が出力される。
【００２９】
制御部２５０では、コンパンダ２０７から出力されたデジタルビデオ信号については、図示しないビデオＲＡＭを用いて、表示部２２０（タッチパネル２３０）のＬＣＤ（Liquid Crystal Devise）による表示に適した信号形式に変換し、所定のタイミングでＬＣＤに転送する。これにより、ＬＣＤには、図示しないＬＣＤ駆動回路を介して入力される信号に従って、画像が表示される。
【００３０】
メール等のテキストデータは、入力部２２３（タッチパネル２３０）から入力される（ユーザの）指示に基づいて所定のタイミングで記憶部２１３から呼び出され、図示しないコード変換部により、表示すべき文字情報や記号等に対応した符号列に変換され、ＬＣＤが表示すべき情報として、ＬＣＤに供給される。これにより、ＬＣＤには、図示しないＬＣＤ駆動回路を介して入力される信号に従って、文字あるいは記号が表示される。
【００３１】
なお、入力部２２３において例えば留守番モードが設定されている場合には、制御部２５０の制御により、コンパンダ２０７において復号処理される前の段階のオーディオデータおよびビデオデータが記憶部２１３内の、例えば留守記録エリアに記憶される。
【００３２】
一方、マイクロホン２２４に入力された利用者の音声は、送話増幅器２２５により適正レベルまで増幅されたのち、ＰＣＭコーデック２０８にてＰＣＭ符号に符号化され、デジタルオーディオ信号として、コンパンダ２０７に入力される。また、図示しないカメラにより撮像されたビデオ信号は、制御部２５０によりデジタル化され、コンパンダ２０７に入力される。なお、制御部２５０において作成されたメール等のテキストデータも制御部２５０からコンパンダ２０７に入力される。
【００３３】
コンパンダ２０７では、ＰＣＭコーデック２０８から出力されたデジタルオーディオ信号から入力音声のエネルギ量が検出され、この検出結果に基づいて送信データレートが決定される。決定された送信データレートに基づいて、デジタルオーディオ信号が送信データレートに応じたフォーマットの信号に符号化される。このようにして、送信用オーディオデータが生成される。また、コンパンダ２０７では、制御部２５０から出力されたデジタルビデオ信号が符号化され、ビデオデータが生成される。
【００３４】
音声データおよび画像データは、コンパンダ２０７の図示しない多重分離部により所定の伝送フォーマットに従いパケット化される。パケット化された送信パケットデータは、ＣＤＭＡ信号処理部２０６へ出力される。メール等のテキストデータも、同様にパケット化され、送信パケットデータに多重化される。
【００３５】
ＣＤＭＡ信号処理部２０６では、コンパンダ２０７から出力された送信パケットデータが送信チャネルに割り当てられた拡散符号を用いてスペクトラム拡散処理され、その出力信号が送信回路（ＴＸ）２０５へ出力される。
【００３６】
送信回路２０５では、ＣＤＭＡ信号処理部２０６においてスペクトラム拡散された信号が、例えばＱＰＳＫ方式のデジタル変調方式により変調される。変調された送信信号は、周波数シンセサイザ２０４から発生される局部発振信号と合成され、所定周波数の空間波、すなわち無線信号に周波数変換される。
【００３７】
送信回路２０５から空間波として出力される無線信号は、送信に先だって制御部２５０により指示される送信電力レベルとなるように（送信回路２０５において）、高周波増幅される。
【００３８】
増幅された無線信号すなわち高周波信号は、アンテナ共用器２０２を経由してアンテナ２０１に供給され、アンテナ２０１から基地局へ向けて送信される。
【００３９】
なお、上述した一連の動作あるいはデータの記憶および保持に利用される電力は、ターミナル２１６を経由して、図示しない商用電源または外部バッテリ装置から供給され、バッテリ２１４に保持されている。また、動作時あるいは必要に応じて、バッテリ２１４に保持されている電力が、電源回路２１５により所定の動作電源電圧Ｖccとして、携帯端末間装置２００の各部に供給される。
【００４０】
制御部２５０はまた、上述した一連の動作あるいはデータの記憶および保持に利用される主制御部（ＣＰＵ）２５０ａを接続されたＩ／Ｏポート（入出力部）２５０ｂを有し、図４により以下に説明するが、図２に示した外部接続部２２２のコネクタ（インタフェース）２２１と接続されることにより、サービスシステム（管理者側ホスト装置）との間の信号の受け渡しが可能である。なお、Ｉ／Ｏポート２５０ｂと接続されたコネクタ２２１には、ユーザが所有するパーソナルコンピュータや任意の装置に設けられているモデム等と接続された場合に、空間波による通信が可能に、詳述しないプロトコルに従った入出力向けの信号の割り当てが可能である。
【００４１】
主制御部（ＣＰＵ）２５０ａには、外部インタフェース２５０ｃが接続されている。
【００４２】
外部インタフェース２５０ｃには、既に規格が公開されているカード状の記憶媒体、例えばminiＳＤカードＭ（商標）との間でデータの受け渡しが可能な、カードスロット２３１が接続されている。カードスロット２３１は、miniＳＤカードＭを介して、例えば携帯情報端末２００がカメラ付きである場合にそのカメラ機構により撮像された画像データ、もしくは通信により外部から入手（ダウンロード）された画像データ等を携帯情報端末２００とは別の再生装置やパーソナルコンピュータ等に移動させるために利用される。また、miniＳＤカードＭにより、音楽データ等がデジタル化された符号情報や予め用意された画像情報を携帯情報端末２００に移動させて、携帯情報端末２００において音楽や画像を再生することができる。
【００４３】
主制御部（ＣＰＵ）２５０ａにはまた、ＷｉＦｉアライアンスにおける認定を得た機器相互における無線接続を可能とするＷｉＦｉ通信管理部２１０および外部アンテナ２１１が接続する。なお、ＷｉＦｉ通信制御部２１０に代えて（あるいはＷｉＦｉ系と併用で）、例えばBluetooth（登録商標）／ブルートゥース（登録商標）が用意されることで、より多くの装置との間のデータの受け渡しが可能となる。
【００４４】
図３Ａ及び図３Ｂは、携帯端末装置のタッチパネル（表示部）が表示するテレビ放送等を受信する際の受信チャンネルの選択（制御入力）に利用可能な表示例を示す。
【００４５】
タッチパネル２３０（表示部２２０）が表示する表示画面３０１は、任意数（図示の例では、３）の受信チャンネルについて、チャンネル名、供給元（放送局あるいは配信先）名、番組情報等を表示する表示ブロック３１１〜３１ｎ（ｎは正の整数）を含む。なお、図３Ｂは、図３Ａが表示した表示ブロック３１１〜３１４を、ユーザがスクロールしたことにより、表示ブロック３１３〜３１６が表示された例を示す。
【００４６】
各表示ブロックは、「プリセット番号」表示領域（−ａ）、「チャンネル番号」表示領域（−ｂ）、「番組情報」表示領域（−ｃ）、「供給元（放送局あるいは配信先）名」表示領域（−ｄ）、「放送時間」表示領域（−ｅ）及び「番組情報」表示領域が表示する番組情報の次の表示（１回に表示できる番組情報に引き続く表示がある場合に、残りの番組情報）を表示するための「改ページ」表示（−ｆ）等、の表示を、表示する。
【００４７】
「チャンネル番号」表示領域（−ｂ）は、デジタル規格のテレビ放送において広く利用されている３桁の数字を含む『チャンネル（番号）』を表示する。
【００４８】
「プリセット番号」表示領域（−ａ）は、記録装置１００あるいはテレビ受信装置等に付属するリモコン端末（リモートコントローラ）に用意されるプリセットボタン（キー）あるいは現行のアナログ規格のテレビ放送においてＶＨＦ帯チャンネルとして広く知られている『１』から『１２』までの数字のボタン（キー）に対応する制御コマンドを送信可能なボタン（キー）による操作入力が上述のデジタル規格のテレビ放送に利用されている３桁の数字を含む『チャンネル（番号）』の選択が可能に、制御コマンドがプリセットされていることを表示する。なお、プリセットボタン（キー）としては、デジタル放送を受信するテレビ受信装置やレコーダ装置（記録装置１００）に付属するリモコン端末に標準的に用意される『青』ボタン、『赤』ボタン、『緑』ボタン及び『黄』ボタン等、１つのボタン（キー）毎に、対応する制御コマンドを設定できる任意のボタン（キー）が利用できる。
【００４９】
図３Ａ及び図３Ｂが示す表示ブロックにおいては、『チャンネル（番号）』０１１のチャンネルに、プリセット番号『１』が、同じく０４１のチャンネルに、『４』が、同じく０６１のチャンネルに、『６』が割りあてられていることが解る。
【００５０】
一方、『チャンネル（番号）』０２１のチャンネル、同０４２、同０４３、同０５１、及び同０７１のチャンネルには、プリセット番号の割り当てがない。
【００５１】
なお、図３Ａ及び図３Ｂが示す表示ブロックが表示する『チャンネル（番号）』とプリセット番号は、例えば図４に示すテレビ受信装置において表示される番組表におけるプリセット番号（予めテレビ受信装置において設定される）及び、例えば図５に示すレコーダ装置（図１の記録装置１００に相当）において画像出力端に出力される表示画面をテレビ受信装置に表示した状態の番組表におけるプリセット番号（予めレコーダ装置において設定される）と共通であることが好ましい。
【００５２】
なお、図３Ａ（図３Ｂ）に示す携帯端末装置２００が表示する番組表は、外部ネットワーク（インターネット）Ｃを経由で、外部サーバ５００から取得することを基本とする。
【００５３】
しかしながら、携帯端末装置２００が表示する番組表は、上述の『受信チャンネルの選択（制御入力）』機能の初回設定時、図４に示すテレビ受信装置において表示される番組表あるいは図５に示すレコーダ装置が出力する表示画面のデータを（ＷｉＦｉを通じて）取得するよう設定できる。但し、携帯端末２００において、『受信チャンネルの選択（制御入力）』機能の表示が変更された場合、例えばプリセット番号と対応する『チャンネル（番号）』との組み合わせをユーザが個別に設定あるいは変更した場合は、その設定（変更）が有効となる（ユーザが設定あるいは変更した設定が保持される）。
【００５４】
より詳細には、図４に示すテレビ受信装置が表示する番組表４０１における表示ブロック４１１〜４１ｎ（ｎは正の整数）は、それぞれ、「プリセット番号」表示領域（−ａ）、「チャンネル番号」表示領域（−ｂ）、「番組情報」表示領域（−ｃ）、「供給元（放送局あるいは配信先）名」表示領域（−ｄ）、「放送時間」表示領域（−ｅ）及び「番組情報」表示領域が表示する番組情報の次の表示（１回に表示できる番組情報に引き続く表示がある場合に、残りの番組情報）を表示するための「改ページ」表示（−ｆ）等、の表示、を表示する。
【００５５】
同様に、図５に示すレコーダ装置が出力する表示画面（データ）は、番組表５０１における表示ブロック５１１〜５１ｎ（ｎは正の整数）は、それぞれ、「プリセット番号」表示領域（−ａ）、「チャンネル番号」表示領域（−ｂ）、「番組情報」表示領域（−ｃ）、「供給元（放送局あるいは配信先）名」表示領域（−ｄ）、「放送時間」表示領域（−ｅ）及び「番組情報」表示領域が表示する番組情報の次の表示（１回に表示できる番組情報に引き続く表示がある場合に、残りの番組情報）を表示するための「改ページ」表示（−ｆ）等、の表示、を表示する。
【００５６】
すなわち、図３Ａ（図３Ｂ）と図４（テレビ受信装置の番組表の表示例）あるいは図５（レコーダ装置の番組表の表示出力例）においては、それぞれ、「プリセット番号」表示領域（−ａ）が表示する『プリセット番号』は、上述のユーザが設定（変更）した場合を除いて同一である。
【００５７】
従って、ユーザは、携帯端末装置２００において上述の『受信チャンネルの選択（制御入力）』モードを起動し、受信しようとするチャンネルを選択することができる。なお、プリセット番号がない（設定されていない）チャンネルを選択しようとした場合、携帯端末装置２００は、テレビ受信装置あるいはレコーダ装置に付属する、もしくは単体で販売されることのあるリモコン端末から出力される制御コマンドに類似した、（実質的に同一の）、例えば０５１チャンネルの選択指示の場合には、『０』、『５』及び『１』に対応する制御コマンドを順に出力する。
【００５８】
すなわち、図８に示すように、携帯端末装置２００を用いて上述の『受信チャンネルの選択（制御入力）』を実行する場合、番組表選局番号表示欄８１１における「リモコンボタン（プリセット）番号」あり／なしに応じて、送信番号欄８１２及び送信コード欄８１３が示す通り、『番組コードのみ（リモコンボタン番号あり）』、あるいは『チャンネル（ＣＨ）番号入力コード＋３つの番組コードすなわち３桁の数字（リモコンボタン番号なし）』のいずれかの制御コマンドが出力される。
【００５９】
従って、ユーザが選択しようとしている（視聴を希望する）チャンネルについて、リモコンボタン（プリセット）番号が設定されている場合、受信対象のチャンネルの映像の表示及び音声の出力が、リモコンボタン番号なし（３つの番組コードを送信）の例に比較して、短時間で表示及び出力される。
【００６０】
特に、リモコンボタン番号なしの場合、３つの番組コードとチャンネル番号入力コードの合計４つのコマンドが出力されることから、映像の表示及び音声の出力（の切り換え）に数秒を要することがあり、視聴しようとしているユーザが『チャンネル』を順に切り替えるような場合、待ち時間が長くなる場合がある。これに対し、「プリセット（リモコンボタン）番号」を出力する場合、図８から明らかなように、番組コード１つを出力するのみであり、僅かな時間で、視聴しようとするチャンネルを選択可能となる。
【００６１】
ところで、図３Ａ（図３Ｂ）と図４（テレビ受信装置の番組表の表示例）あるいは図５（レコーダ装置の番組表の表示出力例）において、例えば「プリセット番号」として『４』が割り当てられている放送局（番組供給元）は、０４１チャンネル以外に、０４２チャンネルと０４３チャンネルのマルチチャンネル放送に対応する。
【００６２】
ここで、「プリセット番号」として『４』を１回オン（操作）した場合、他のチャンネルの番組を視聴中であった場合には、０４１チャンネルが選択される。また、０４１チャンネルを視聴中であった場合には、「プリセット番号」の『４』が次にオン（操作）されることで、０４２チャンネルが選択される。また、０４２チャンネルを視聴中であった場合には、次に「プリセット番号」の『４』がオン（操作）されることで、０４３チャンネルが選択される。すなわち、プリセット番号によるチャンネル選択は、マルチチャンネル放送については、ロータリー（［０４１］→［０４２］→［０４３］→［０４１］・・・）方式で、順に、受信チャンネルが切り替わる。なお、隣接する地域で同一のチャンネル番号の異なる放送局がある、等の場合、［−枝番］を選択することが必要となるが、その場合においても上述のロータリー方式に準じ、「プリセット番号」がオン（操作）されることで、例えば初期設定でプリセットされたチャンネルが、「プリセット番号」がもう一度オン（操作）されることで、隣接地域のチャンネルが、それぞれ、表示される。
【００６３】
図９に、図８に示した番組表選局番号表示（リモコンボタン（プリセット）番号あり）／なしの制御を、ソフトウエア的に示す。
【００６４】
はじめに、番組表を表示（『受信チャンネルの選択（制御入力）』モードを起動）する［０１］。
【００６５】
表示された番組表の任意の表示ブロックから（ユーザにより）視聴しようとするチャンネルが選択される（例えば、ユーザの指がタッチパネルに触れる）［０２］。
【００６６】
ユーザが指示したチャンネルが、リモコンボタン（プリセット）番号のあるチャンネルである場合［０３−ＹＥＳ］、リモコンボタン番号コード（１番号コード）が送信される［０４］。一方、ユーザが指示したチャンネルが、リモコンボタン（プリセット）番号のないチャンネルである場合［０３−ＮＯ］、チャンネル番号コード（チャンネル（ＣＨ）番号入力コードと３つの番号コード）が送信される［０５］。
【００６７】
なお、図６に、図１に示したホームネットワークに利用可能な録画再生装置（レコーダ装置）に利用可能の構成の一例を示す。
【００６８】
レコーダ）６０１は、チューナ６０２、入力回路６０３、ＤＳＰ（デジタルシグナルプロセッサ）６０４、記録装置６０５、出力回路６０６、ユーザ操作入力部（リモコン信号受信回路）６０７、電源部６０８、及びＨＤＭＩインタフェース６０９（図１に示したプラグ１１１に相当）を少なくとも含む。
【００６９】
チューナ６０２は、アンテナ端子６２１に接続されるアンテナまたは光ケーブル等を介して、録画対象の番組を放送するチャンネルを選局する。
【００７０】
入力端子６０３は、ビデオ（viedo）入力端６３１およびオーディオ（audio）入力端６３２を経由して入力されるビデオ（動画）信号およびオーディオ（音声）信号を、受けつける。
【００７１】
ＤＳＰ６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、ビデオエンコーダ（ビデオ出力処理部）６４７、デジタル−アナログコンバータ（オーディオデコーダ（ＤＡＣ））６４８、ＥＰＧ（Electric Program Guide）処理部６４９等の要素を、少なくとも含む。なお、インタフェース６４４に、上述のＨＤＭＩ６０９が接続されるが、ＨＤＭＩ６０９は、ネットワークコントローラ６４１に接続されてもよい。
【００７２】
主制御装置（ＣＰＵ）６４０は、上述した各要素の動作、および電源部６０８の主電源（内部制御用２次回路を除く）のオン／オフを制御する。
【００７３】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００７４】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００７５】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００７６】
インタフェース６４４は、記録装置５との間のデータの受け渡し、あるいはリモコン信号受光回路６０７からの制御信号の入力に利用される。ＨＤＭＩ６０９には、ＨＤＭＩ端子６８１を介して、例えば図７に一例を示すテレビ受信装置（映像再生装置）７０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００７７】
デコーダ６４５は、ＭＰＥＧ−２あるいはＭＰＥＧ−４（Ｈ．２６４−ＡＶＣ））等に圧縮された番組を、デコードする。
【００７８】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００７９】
ビデオエンコーダ（ビデオ出力処理部）６４７は、映像信号とＧＵＩ処理部６４６から出力されるＧＵＩ画面表示を必要に応じ合成し、映像出力端６６１に接続されるモニタ装置６６３が表示可能に、出力回路６０６に、出力映像信号を生成する。
【００８０】
デジタル−アナログコンバータ（オーディオデコーダ（ＤＡＣ））６４８は、出力回路６０６に、オーディオ出力端６６２に接続される外部スピーカ等が再生可能に、オーディオ信号を出力する。
【００８１】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１の所定の領域に保存される。
【００８２】
記録装置６０５は、例えばＨＤＤ６５１またはディスクドライブ装置６５２を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００８３】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００８４】
リモコン信号受光回路６０７は、リモコン受光部６７１において受け付けたユーザ操作入力を、インタフェース６４４を経由して、主制御装置６４０に入力する。
【００８５】
電源部６０８は、主制御装置６４０の制御により主電源がオフ可能であり、図示しないタイマ部にセットされた予約時間が到来した時点で主電源をオンし、上述した各要素の動作を、動作可能状態に維持する。
【００８６】
また、図７に、図１に示したホームネットワークに利用可能なテレビ受信装置（図４の番組表を表示する）の構成の一例を示す。
【００８７】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザからの制御指示（制御入力）信号を受け入れる操作部７１７、ユーザからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００８８】
制御部７６０は、ＣＰＵまたはＭＰＵ（Main Processing Unit）とよばれる主制御装置（主制御用大規模ＩＣ（ＬＳＩ））７６１を、含む。
【００８９】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）を、制御する。
【００９０】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報あるいはネットワーク接続部７７３を介して外部から供給される情報および録画予約情報などのデータ等を保持する不揮発性メモリ（Non Volatility Memory，ＮＶＭ）７６４、およびＨＤＤ７６５を、含む。
【００９１】
なお、ＮＶＭ７６４は、ネットワーク接続部７７３を経由して取り込まれ、制御部７６０を経由してメッセージや解読されたスケジュール情報等も保持する。
【００９２】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ７７４（図１の２１１に相当）、光ディスクＤからの情報すなわち動画データやオーディオ（音声）データの読み出しと光ディスクへの情報の書き込みに用いられるディスクドライブ装置７７５、ＵＳＢ＿Ｉ／Ｆ、およびｉ．Ｌｉｎｋ＿Ｉ／Ｆ（インタフェース）７７７等の任意数のＩ／Ｆ（Interface，インタフェース）群が接続され、それぞれのインタフェースに適合する外部装置、あるいはハブ（拡張装置）もしくはネットワーク制御装置として機能する。
【００９３】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００９４】
通信＿Ｉ／Ｆ７７３は、ＬＡＮ端子（ポート）７８１と接続され、イーサネット（登録商標）規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内臓のＤＶＤレコーダ等の機器の接続が可能である。
【００９５】
ＨＤＭＩ７７４には、ＨＤＭＩ端子７８２を介して、例えば図６に一例を示したレコーダ（映像再生装置）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００９６】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【００９７】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【００９８】
ｉ．Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００９９】
なお、詳述しないが、個々のインタフェースに加えて、もしくは任意の１または複数のインタフェースに代えて、例えばＤＬＮＡ（Digital Living Network Alliance）規格等に準拠したネットワークコントローラや、図示しないBluetooth（ブルートゥース（登録商標））が用意され、それらを経由して、データの受け渡しが可能なレコーダ装置やＨＤＤ装置、もしくは携帯可能な端末装置が接続されてもよいことはいうまでもない。
【０１００】
制御部７６０は、タイマーコントローラ（時計部）７９０を含む。時計部９０は、時刻や、ユーザからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【０１０１】
以上説明したように、実施形態によれば、ユーザが選択しようとしている（視聴を希望する）チャンネルについて、受信対象のチャンネルの映像の表示及び音声の出力を、短時間で表示及び出力できる。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１…ルータ（ホームサーバ）、１００…記録装置（録画再生装置）、２００…携帯端末装置、５００…サーバ。
【図１】
2012213120.tif 000003
【図２】
2012213120.tif 000004
【図３Ａ】
2012213120.tif 000005
【図３Ｂ】
2012213120.tif 000006
【図４】
2012213120.tif 000007
【図５】
2012213120.tif 000008
【図６】
2012213120.tif 000009
【図７】
2012213120.tif 000010
【図８】
2012213120.tif 000011
【図９】
2012213120.tif 000012